(57)【要約】【課題】１つの遊技機設置設備に対して多数の電動ファン装置を不用とできて、かつ、各遊技機機の裏側に設けられた制御装置等の熱発生源を効率的に冷却できる遊技機設置設備を提供する。【解決手段】モータ３で球を球捕集系統４から球補給系統５に供給する球揚送機６を備えた遊技機設置設備２において、上記モータ３により駆動するファン８と、ファン８による送風を遊技機設置設備２に設置された各遊技機１の裏側１ａに導く送風管１５とを備えた。【選択図】        図１
2004208779.tif 000002
【特許請求の範囲】
【請求項１】
モータで球を球捕集系統から球補給系統に供給する球揚送機を備えた遊技機設置設備において、上記モータにより駆動するファンと、ファンによる送風を遊技機設置設備に設置された各遊技機の裏側に導く送風管とを備えたことを特徴とする遊技機設置設備。
【請求項２】
複数並置された各遊技機の裏側に延長するように送風管が設けられ、各遊技機の裏側に対応して送風管に送風孔が形成されたことを特徴とする請求項１に記載の遊技機設置設備。
【発明の詳細な説明】
【０００１】
【発明の属する技術分野】
この発明はパチンコ機やスロット機等の遊技機が複数並置される遊技機設置設備に関するものである。
【０００２】
【従来の技術】
複数の遊技機が並置されるとともに内部に球捕集系統と球補給系統と球を球捕集系統から球補給系統に供給する球揚送機等を備えたいわゆる「島」と呼称される遊技機設置設備において、遊技機設置設備の内部にこもる熱気を除去するために遊技機設置設備の天井面に電動ファン装置を設けるようにした遊技機設置設備が知られている（例えば、特許文献１参照）。
【０００３】
【特許文献１】
特開平９−１６８６６２号公報
【０００４】
【発明が解決しようとする課題】
特許文献１では、天井面に開口を設けてこの開口に電動ファン装置を取付けるので、１つの遊技機設置設備に対して多数の電動ファン装置が必要になるという課題があった。また、特許文献１では、各遊技機の裏側に設けられた制御装置等の熱発生源と電動ファン装置とが離れているので、熱発生源に対する冷却効率が悪かった。
本発明は１つの遊技機設置設備に対して多数の電動ファン装置を不用とできて、かつ、各遊技機の裏側に設けられた制御装置等の熱発生源を効率的に冷却できる遊技機設置設備を提供することを目的とする。
【０００５】
【課題を解決するための手段】
本発明では、モータで球を球捕集系統から球補給系統に供給する球揚送機を備えた遊技機設置設備において、上記モータにより駆動するファンと、ファンによる送風を遊技機設置設備に設置された各遊技機の裏側に導く送風管とを備えたものとしたので、多数の電動ファン装置を不用とできて、かつ、各遊技機の裏側に設けられた制御装置等の熱発生源を効率的に冷却できる。
また、複数並置された各遊技機の裏側に延長するように送風管が設けられ、各遊技機の裏側に対応して送風管に送風孔が形成されたものとしたので、送風管に送風孔を設ければよく、加工が容易で構成を簡単にできる。
【０００６】
【発明の実施の形態】
以下、実施形態による遊技機設置設備を図１〜図３に基いて説明する。図１は遊技機設置設備の内部における球揚送機近傍を示す図、図２はモータとファンと送風管ダクトと送風管の関係を示す図、図３は送風管の態様を示す斜視図である。
図１に示すように、遊技機１が複数並置される島等と呼称される遊技機設置設備２の内部のほぼ中央にはモータ３で球を球捕集系統４から球補給系統５に供給する球揚送機６が設けられている。尚、遊技機１は遊技機設置設備２の両側に複数並置され、遊技機設置設備２の内部において両側の遊技機１の裏側１ａ同士が対向するように設置されている。球捕集系統４は各遊技機１からの球を排出する球排出樋４１とこの各球排出樋４１をから送られてくる球を捕集する上捕集樋４２とこの上捕集樋４２で捕集された球を球揚送機６に送る下捕集樋４３とで構成される。球補給系統５は球揚送機６で揚送された球を各遊技機１に補給するための補給樋５１とこの補給樋５１からの球を各遊技機１に分配するための分配樋５２とこの分配樋５２からの球を受ける各遊技機１の球貯留タンク５３とで構成される。球揚送機６は例えば図示しない螺旋機構によって球を揚送研磨する揚送研磨機構７を備える。各遊技機１から排出された球は球捕集系統４を介して揚送研磨機構７の下部の球取り入れ部７１に送られてくる。揚送研磨機構７は例えば螺旋機構によって球と研磨ペレットを混合しながら球を揚送研磨して球補給系統５に供給する。これにより、研磨された球が各遊技機１に供給される。尚、揚送研磨機構７としては螺旋機構を用いた方式の他に、ベルトを用いた方式、バケットを用いた方式その他の方式がある。
【０００７】
実施形態では、図２に示すように、モータ軸３１，３２が上下方向に延長するように縦置きされるモータ３の上方向に延長するモータ軸３１にはファン８が連結されており、よってファン８はモータ３により回転駆動する。図示しないが、モータ３の下方向に延長するモータ軸３２には減速ギヤ機構が噛み合わされて減速ギヤ機構の出力が伝達ギヤ機構を介して揚送研磨機構７の例えば螺旋機構に伝達され、これにより螺旋機構が駆動する。９は減速ギヤ機構ボックス、１０は伝達ギヤ機構ボックス、３Ａはモータ本体、４０は軸受けである。
【０００８】
上方に複数の通気孔１１が形成されたファンカバー１２がファン８の上方側を覆うように取付けられ、ファンカバー１２の上方側を覆うように送風管ダクト１３が取付けられている。送風管ダクト１３の上部には送風管連結孔１４が設けられ、送風管連結孔１４に送風管１５が連結されている。送風管１５は送風管ダクト１３の上方に延長する縦管１６とこの縦管１６の上端に連結され左右に延長して各遊技機１の裏側１ａに位置される横管１７とで構成されている。横管１７には各遊技機１の裏側１ａに対応して送風孔１８が形成されている。
【０００９】
モータ３のケーシング３２の上部には複数の通気孔３３が、下部には複数の通気孔３４が形成されている。また、モータ３のケーシング３２の上部周囲には複数の空気取り入れ孔３５が、下部周囲には複数の空気取り入れ孔３６が形成されている。また、減速ギヤ機構ボックス９のケーシング９１には複数の空気取り入れ孔３７が形成され、伝達ギヤ機構ボックス１０のケーシング１０１には複数の空気取り入れ孔３８が形成されている。
【００１０】
以上により、揚送研磨機構７を駆動するためにモータ３の電源を投入すると、モータ軸３１に取付けられたファン８が回転駆動し、これにより、空気取り入れ孔３５〜３８を介して取込まれた空気が通気孔３４，３３，１１を介して送風管ダクト１３内に取込まれた後に送風管１５に送られ、送風孔１８を介して各遊技機１の裏側１ａに導かれる。これにより、モータ３が空冷冷却されるとともに各遊技機１の裏側１ａに設けられている制御装置等を空冷冷却することができる。
【００１１】
よって、実施形態では、特許文献１のように多数の電動ファン装置を不用とできて、かつ、遊技機１の裏側１ａに設けられた制御装置等の熱発生源を効率的に冷却できる。また、送風管１５の横管１７に送風孔１８を設ければよく、加工が容易で構成を簡単にできる。また、１本の長い合成樹脂製等の横管１７を用いて送風孔１８を形成すればよいので、導入コストも安価にできる。
【００１２】
尚、各遊技機１の裏側１ａにおいて特に冷却したい制御装置等に集中的に風を送るために送風孔１８に延長送風管を繋ぐようにしてもよい。
【図面の簡単な説明】
【図１】本発明の実施形態による遊技機設置設備の内部における球揚送機近傍を示す図。
【図２】実施形態による遊技機設置設備のモータとファンと送風管ダクトと送風管の関係を示す図。
【図３】実施形態による送風管の態様を示す斜視図。
【符号の説明】
１  遊技機
１ａ  遊技機の裏側
２  遊技機設置設備
３  モータ
４  球捕集系統
５  球補給系統
６  球揚送機
８  ファン
１５  送風管
１８  送風孔
【図１】
2004208779.tif 000003
【図２】
2004208779.tif 000004
【図３】
2004208779.tif 000005